【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
記録媒体がファイナライズされる前に管理情報を記録し、指定された順に使用される少なくとも１つの一時欠陥管理領域と、
対応する一時管理領域が使用されるとき、前記一時管理領域のどの領域が現在使用されているかを示す少なくとも１つのアクセスインジケータとを含み、
前記アクセスインジケータは、前記一時管理領域のうちの１つに配置されることを特徴とする記録媒体。
【請求項２】
前記アクセスインジケータは、前記記録媒体の内側の半径範囲に配置されたリードイン領域に配置されることを特徴とする請求項１に記載の記録媒体。
【請求項３】
前記アクセスインジケータは、前記一時管理領域のうちの前記１つの先頭側に配置されることを特徴とする請求項１に記載の記録媒体。
【請求項４】
前記一時管理領域のうちの前記１つは、最初に使用される一時管理領域であることを特徴とする請求項１に記載の記録媒体。
【請求項５】
前記アクセスインジケータの総数は、前記一時管理領域の総数に依存することを特徴とする請求項１に記載の記録媒体。
【請求項６】
前記アクセスインジケータの各々は、最初に使用される一時管理領域を除き前記一時管理領域の各々に対応することを特徴とする請求項１に記載の記録媒体。
【請求項７】
前記アクセスインジケータの各々は、クラスタからなることを特徴とする請求項１に記載の記録媒体。
【請求項８】
一時管理領域が使用されている場合、使用されている一時管理領域に対応するアクセスインジケータはデータを記録していることを特徴とする請求項１に記載の記録媒体。
【請求項９】
前記アクセスインジケータの各々は、前記一時管理領域が一杯であるか否かを示すことを特徴とする請求項５に記載の記録媒体。
【請求項１０】
少なくとも１つの一時管理領域を含む記録媒体がファイナライズされる前に、該記録媒体上に管理情報を記録する方法であって、
前記管理情報を、指定された順に使用される一時管理領域のうちの１つに記録するステップと、
対応する一時管理領域が使用されているとき、前記一時管理領域のどの領域が現在使用されているかを示す少なくとも１つのアクセスインジケータを作成するステップと
を含むことを特徴とする管理情報の記録方法。
【請求項１１】
前記アクセスインジケータは、前記記録媒体のリードイン領域に作成されることを特徴とする請求項１０に記載の管理情報の記録方法。
【請求項１２】
前記アクセスインジケータは、前記一時管理領域のうちの前記１つの先頭側部分に作成されることを特徴とする請求項１０に記載の管理情報の記録方法。
【請求項１３】
前記アクセスインジケータの各々は、前記一時管理領域の各々に対応することを特徴とする請求項１０に記載の管理情報の記録方法。
【請求項１４】
前記アクセスインジケータの各々は、クラスタからなることを特徴とする請求項１０に記載の管理情報の記録方法。
【請求項１５】
前記作成するステップは、現在使用されている一時管理領域に対応するアクセスインジケータにデータを記録するステップを含むことを特徴とする請求項１０に記載の管理情報の記録方法。
【請求項１６】
前記アクセスインジケータの各々は、対応する一時管理領域が一杯であるか否かを示すことを特徴とする請求項１３に記載の管理情報の記録方法。
【請求項１７】
少なくとも１つの一時管理領域を含む記録媒体がファイナライズされる前に、該記録媒体に管理情報を記録する管理情報の記録装置であって、
指定された順に使用される一時管理領域のうちの１つに記録される管理情報を制御し、
対応する一時管理領域が使用されているとき、前記一時管理領域のどの領域が現在使用されているかを示す少なくとも１つのアクセスインジケータを作成する制御装置を備え、
前記アクセスインジケータは、前記一時管理領域のうちの１つに配置されることを特徴とする管理情報の記録装置。
【請求項１８】
前記制御装置は、前記一時管理領域のうちの１つの先頭側部分にアクセスインジケータを作成することを特徴とする請求項１７に記載の管理情報の記録装置。
【請求項１９】
前記制御装置は、現在使用されている一時管理領域に対応するアクセスインジケータに記録されるデータを制御することを特徴とする請求項１７に記載の管理情報の記録装置。
【請求項２０】
管理情報を記録する少なくとも１つの一時管理領域を含む記録媒体がファイナライズされる前に、該記録媒体に記録されたデータを再生する方法であって、
前記記録媒体内の少なくとも１つのアクセスインジケータに基いて、指定された順に使用される一時管理領域のどの領域が現在使用されているかを判断するステップと、
現在使用されていると判断された一時管理領域から前記管理情報を読み取るステップと、
前記読み取られた管理情報に基いて、前記記録媒体からのデータを再生するステップと
を備え、前記アクセスインジケータは前記一時管理領域のうちの１つに配置されることを特徴とするデータの再生方法。
【請求項２１】
前記アクセスインジケータは、前記一時管理領域のうちの前記１つの先頭側部分に配置されることを特徴とする請求項２０に記載のデータの再生方法。
【請求項２２】
前記判断するステップは、前記アクセスインジケータの各々がデータを記録したか否かを確認するステップを含むことを特徴とする請求項２０に記載のデータの再生方法。
【請求項２３】
管理情報を記録する少なくとも１つの一時管理領域を含む記録媒体がファイナライズされる前に、該記録媒体に記録されたデータを再生するデータの再生装置であって、
前記記録媒体内の少なくとも１つのアクセスインジケータに基いて、指定された順に使用される一時管理領域のどの領域が現在使用されているかを判断し、
現在使用されている一時管理領域から読み取る前記管理情報を制御し、
前記読み取られた管理情報に基いて、前記記録媒体から再生されるデータを制御する制御装置を備え、
前記アクセスインジケータは、前記一時管理領域のうちの１つに配置されることを特徴とするデータの再生装置。
【請求項２４】
前記アクセスインジケータは、前記一時管理領域のうちの前記１つの先頭側部分に配置されることを特徴とする請求項２３に記載のデータの再生装置。
【請求項２５】
前記制御装置は、前記アクセスインジケータの各々がデータを記録したか否かを確認することにより、一時管理領域のどの領域が現在使用されているかを判断することを特徴とする請求項２３に記載のデータの再生装置。
【手続補正２】
【補正対象書類名】明細書
【補正対象項目名】０００４
【補正方法】変更
【補正の内容】
【０００４】
図１は、関連技術として書き換え型ブルーレイディスク（ＢＤ−ＲＥ）の記録領域の構造を図式的に示す図である。同図に示すように、ディスクは、その内周からリードイン領域（Ｌｅａｄ−ｉｎ  Ａｒｅａ）、データ領域（Ｄａｔａ  Ａｒｅａ）、リードアウト領域（Ｌｅａｄ−ｏｕｔ  Ａｒｅａ）の順に分割される。また、データ領域内には、欠陥領域を代替するための内部スペア領域（ｉｎｎｅｒ  ｓｐａｒｅ  ａｒｅａ；ＩＳＡ）と、外部スペア領域（ｏｕｔｅｒ  ｓｐａｒｅａｒｅａ；ＯＳＡ）がそれぞれデータ領域内の内周および外周に備えられており、上記スペア領域の間には、ユーザデータを記録するユーザデータ領域（Ｕｓｅｒ  Ｄａｔａ  Ａｒｅａ）が備えられている。
【手続補正３】
【補正対象書類名】明細書
【補正対象項目名】００１２
【補正方法】変更
【補正の内容】
【００１２】
上記のような目的を達成するための本発明に係る記録媒体は、記録媒体がファイナライズされる前に管理情報を記録し、指定された順に使用される少なくとも１つの一時欠陥管理領域と、対応する一時管理領域が使用されるとき、前記一時管理領域のどの領域が現在使用されているかを示す少なくとも１つのアクセスインジケータとを含み、前記アクセスインジケータは、前記一時管理領域のうちの１つに配置されることを特徴とする。
【手続補正４】
【補正対象書類名】明細書
【補正対象項目名】００１３
【補正方法】変更
【補正の内容】
【００１３】
また、本発明に係る管理情報の記録方法は、少なくとも１つの一時管理領域を含む記録媒体がファイナライズされる前に、該記録媒体上に管理情報を記録する方法であって、前記管理情報を、指定された順に使用される一時管理領域のうちの１つに記録するステップと、対応する一時管理領域が使用されているとき、前記一時管理領域のどの領域が現在使用されているかを示す少なくとも１つのアクセスインジケータを作成するステップとを含むことを特徴とする。
【手続補正５】
【補正対象書類名】明細書
【補正対象項目名】００１４
【補正方法】変更
【補正の内容】
【００１４】
また、本発明に係る管理情報の記録装置は、少なくとも１つの一時管理領域を含む記録媒体がファイナライズされる前に、該記録媒体に管理情報を記録する管理情報の記録装置であって、指定された順に使用される一時管理領域のうちの１つに記録される管理情報を制御し、対応する一時管理領域が使用されているとき、前記一時管理領域のどの領域が現在使用されているかを示す少なくとも１つのアクセスインジケータを作成する制御装置を備え、前記アクセスインジケータは、前記一時管理領域のうちの１つに配置されることを特徴とする。
【手続補正６】
【補正対象書類名】明細書
【補正対象項目名】００１５
【補正方法】変更
【補正の内容】
【００１５】
また、本発明に係るデータの再生方法は、管理情報を記録する少なくとも１つの一時管理領域を含む記録媒体がファイナライズされる前に、該記録媒体に記録されたデータを再生する方法であって、前記記録媒体内の少なくとも１つのアクセスインジケータに基いて、指定された順に使用される一時管理領域のどの領域が現在使用されているかを判断するステップと、現在使用されていると判断された一時管理領域から前記管理情報を読み取るステップと、前記読み取られた管理情報に基いて、前記記録媒体からのデータを再生するステップとを備え、前記アクセスインジケータは前記一時管理領域のうちの１つに配置されることを特徴とする。
【手続補正７】
【補正対象書類名】明細書
【補正対象項目名】００１６
【補正方法】変更
【補正の内容】
【００１６】
また、本発明に係るデータの再生装置は、管理情報を記録する少なくとも１つの一時管理領域を含む記録媒体がファイナライズされる前に、該記録媒体に記録されたデータを再生するデータの再生装置であって、前記記録媒体内の少なくとも１つのアクセスインジケータに基いて、指定された順に使用される一時管理領域のどの領域が現在使用されているかを判断し、現在使用されている一時管理領域から読み取る前記管理情報を制御し、前記読み取られた管理情報に基いて、前記記録媒体から再生されるデータを制御する制御装置を備え、前記アクセスインジケータは、前記一時管理領域のうちの１つに配置されることを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００２２
【補正方法】変更
【補正の内容】
【００２２】
また、複数のディスク管理領域（ＤＭＡ１〜ＤＭＡ４）がリードイン領域３０及びリードアウト領域４０内に備えられる。すなわち、上記ＴＤＭＡは、欠陥管理情報及びディスク管理情報を一時的に保存するのに対し、上記ＤＭＡは、欠陥管理情報及びディスク管理情報を永久的に保存する。例えば、ディスクがファイナライズ（ｆｉｎａｌｉｚｅ）すれば、上記ＴＤＭＡ内に保存された管理情報がそれぞれのＤＭＡ内に転記される。
【手続補正１０】
【補正対象書類名】明細書
【補正対象項目名】００３３
【補正方法】変更
【補正の内容】
【００３３】
図３は、本発明のＴＤＭＡ内に記録される、各種のディスク欠陥管理情報及びディスク使用状態情報を例示する図である。記録する度に最小記録単位である１クラスタ以上ずつ記録され、上記ＴＤＭＡ（例えば、ＴＤＭＡ０、ＴＤＭＡ１、ＴＤＭＡ２、ＴＤＭＡ３、ＴＤＭＡ４）内に記録される多様な情報を通称して一時ディスク管理構造（ＴＤＭＳ：Ｔｅｍｐｏｒａｒｙ  Ｄｉｓｃ  Ｍａｎａｇｅｍｅｎｔ  Ｓｔｒｕｃｔｕｒｅ）情報という。ＴＤＭＳ情報は、規格に応じて変更または追加可能である。
【手続補正１１】
【補正対象書類名】明細書
【補正対象項目名】００４１
【補正方法】変更
【補正の内容】
【００４１】
本発明の実施例によれば、追記型単層ディスクが２つ以上のＴＤＭＡを含む場合、上記ＴＬＩクラスタの総数は、ディスク内に存在するＴＤＭＡの総数に応じて決められる。例えば、ディスク内にＸ個のＴＤＭＡが存在する場合、ＴＬＩクラスタは（Ｘ−１）個存在する。それぞれのＴＬＩクラスタは、ＴＤＭＡの一つと対応するようになっており、一般に、ＴＤＭＡの使用順序に従って最初に用いられるＴＤＭＡには対応するＴＬＩが存在しない。
【手続補正１２】
【補正対象書類名】明細書
【補正対象項目名】００５８
【補正方法】変更
【補正の内容】
【００５８】
したがって、例えば、すべてのＴＬＩクラスタが未記録状態であれば、これは、ＴＤＭＡ０が現在使用中のＴＤＭＡであることを意味する。また、最初のＴＬＩクラスタ７５ａだけが記録状態であるとすれば、これは、ＴＤＭＡ０がフルであり、ＴＤＭＡ１が現在使用中のＴＤＭＡであることを意味する。また、最初のクラスタ及び二番目のＴＬＩクラスタ７５ａ、７５ｂだけが記録状態であるとすれば、これは、ＴＤＭＡ０及びＴＤＭＡ１がフルで、ＴＤＭＡ２が現在使用中のＴＤＭＡであることを意味する。また、図６ｃに示すようにＴＬＩ７５の５つのクラスタ７５ａ〜７５ｅがすべて記録状態であれば、これは、ＴＤＭＡ０〜ＴＤＭＡ４までのすべてがフルで、現在使用可能なＴＤＭＡがないことを意味する。この場合ディスクはファイナライズ（クローズ）する。
【手続補正１３】
【補正対象書類名】明細書
【補正対象項目名】００５９
【補正方法】変更
【補正の内容】
【００５９】
図５ａ〜図６ｃは、低いＰＳＮを有するＴＬＩクラスタから高いＰＳＮを有するＴＬＩクラスタの順に用いられることを示す図である。しかし、図５ａ〜図６ｃに示すようなＴＬＩの記録する順番は変更可能であり、したがって、図４ｄ〜図４ｅに示すようにＴＬＩクラスタをアドレスが小さくなる順に連続して用いることも可能である。